(57)【要約】      （修正有）【課題】広告内容が変化する広告表示具を提供する。【解決手段】広告内容を可視的に表示する表示面２３を有する表示部２１と、該表示部に取り付けられ支持物に固定される固定部３１と、を備えてなる広告表示具であって、表示面２３を見る方向によって、広告内容が異なるものである、広告表示具１１である。また、支持物に対する表示面の角度が所定範囲で調節可能なものであってもよい。そして、表示面２３に存さずかつ前記表示面に接しない線分に沿って視点が動いた際、少なくとも２以上の異なる広告内容が観察される該線分が存するものであってもよい。【選択図】図３
0003103972.tif 000002
【実用新案登録請求の範囲】
【請求項１】
広告内容を可視的に表示する表示面を有する表示部と、該表示部に取り付けられ支持物に固定される固定部と、を備えてなる広告表示具であって、
該表示面を見る方向によって、該広告内容が異なるものである、広告表示具。
【請求項２】
前記支持物に対する前記表示面の角度が所定範囲で調節可能なものである、請求項１に記載の広告表示具。
【請求項３】
前記表示面に存さずかつ前記表示面に接しない線分に沿って視点が動いた際、少なくとも２以上の異なる広告内容が観察される該線分が存するものである、請求項１又は２に記載の広告表示具。
【請求項４】
前記線分に沿って視点が動いた際、少なくとも２以上の異なる広告内容が所定の規則性に従って観察されるものである、請求項３に記載の広告表示具。
【請求項５】
前記少なくとも２以上の異なる広告内容が、２の異なる広告内容であり、
前記所定の規則性が、該２の異なる広告内容が交互にあらわれるものである、請求項４に記載の広告表示具。
【請求項６】
前記少なくとも２以上の異なる広告内容が、大きさの異なる同一の表示内容を含んだ少なくとも３以上の広告内容を含んでおり、
前記所定の規則性が、該同一の表示内容が次第に大きくなるか又は次第に小さくなるものである、請求項４に記載の広告表示具。
【請求項７】
前記表示部が、レンチキュラーレンズと、該レンチキュラーレンズを通して見たときに前記表示面を見る方向によって異なる広告内容が観察されるように該レンチキュラーレンズの背面に配設された広告内容表示部と、を有するものである、請求項１乃至６のいずれか１に記載の広告表示具。
【請求項８】
前記レンチキュラーレンズが板状又は膜状の透明部材に形成されており、前記広告内容表示部が該透明部材の裏面に印刷により形成されるものである、請求項７に記載の広告表示具
【請求項９】
前記表示部と前記固定部とが、一体の透明部材によって形成されるものである、請求項８に記載の広告表示具。
【考案の詳細な説明】
【技術分野】
【０００１】
本考案は、広告表示具に関し、より詳細には、店舗等において広告内容を表示する広告表示具に関する。
【背景技術】
【０００２】
広告（目視により認識されるものをいう。）は、店舗や街角等のような人目につく場所に設置されることで、広告内容を人々に知らしめるために広く用いられてきた。即ち、広告は、できる限り人目を引くものであることが好ましく、このため様々なものが用いられてきた（例えば、特許文献１参照）。
【０００３】
特許文献１には、「広告が示される広告媒体を支持する広告媒体支持具であって、支持物に対して固定される固定手段と、一端に該広告媒体が取り付けられる支持棒と、該支持棒の他端側を支持し該支持棒の軸を中心として該支持棒を正逆両方向に交互に回動させる該固定手段に取り付けられた回動手段と、を備えてなる、広告媒体支持具」（特許文献１、請求項１）が記載されており、これによって、広告が示された広告媒体が正逆両方向に交互に回動されるので、その動きによって看者の面白味を喚起させ人目を引くことで、広告効果を向上させるものである。
【０００４】
【特許文献１】登録実用新案第３０９６５８９号公報（請求項１、第１図）
【考案の開示】
【考案が解決しようとする課題】
【０００５】
しかしながら、特許文献１に記載の広告媒体支持具を用いても、広告媒体に示される広告内容は特段変化がないものであり、やはり面白味に欠けるという問題があった。この面白味に欠ける点は、広告が人々の興味を喚起しないことにつながり、広告効果が十分に発揮されないことを引き起こすことから大きな問題となりうる。
そこで本考案では、広告内容が変化する広告表示具を提供することを目的とする。
【課題を解決するための手段】
【０００６】
本考案の広告表示具（以下、「本表示具」という。）は、広告内容を可視的に表示する表示面を有する表示部と、該表示部に取り付けられ支持物に固定される固定部と、を備えてなる広告表示具であって、該表示面を見る方向によって、該広告内容が異なるものである、広告表示具である。
【０００７】
こうすることで固定部が、本表示具を支持する支持物（本表示具を十分な強度で固定することができるものであればいかなるものであってもよく、何ら限定されるものではないが、例えば、商品の陳列棚に取り付けられた、本表示具を固定するためのクリップ等を例示することができる。）に固定されることで、支持物に対して表示部が固定される（固定部は表示部に取り付けられるので、固定部が支持物に固定されることで、支持物に対して表示部が固定される。）。
そして、表示部は、広告内容を可視的に表示する表示面を有し、該表示面を見る方向によって、広告内容が異なる。
従って、本表示具によれば、表示面を見る方向により広告内容が変化するので、看者の面白味を喚起させ人目を引くことで、広告効果を著しく向上させる。
【０００８】
前記支持物に対する前記表示面の角度が所定範囲で調節可能なものであってもよい。
こうすることで支持物に対する表示面の角度を調節して、本表示具の看者に対して表示面の角度を調節することができるので、看者が表示面を見た際に広告内容がうまく変化するよう、本表示具を配設することができる。
【０００９】
前記表示面に存さずかつ前記表示面に接しない線分に沿って視点が動いた際、少なくとも２以上の異なる広告内容が観察される該線分が存するもの（以下、「観察線分存在具」という。）であってもよい。
本表示具の看者の視点（看者の目の位置）は、通常、線分にほぼ沿って動くことが多い（例えば、看者が歩行しているときであれば、ほぼ直線に沿って歩行することが多いので、目（即ち、視点）は線分にほぼ沿って動くことが多い。）ので、少なくとも２以上の異なる広告内容が観察される線分が存すれば、視点が沿って動く線分が、該少なくとも２以上の異なる広告内容が観察される線分にほぼ一致するように本表示具を配設することで、本表示具の看者が少なくとも２以上の異なる広告内容をうまく観察することができる。
なお、ここにいう「表示面に接しない線分」とは、表示面の接線に線分がなる場合と、表示面に線分が交わる場合と、のいずれの場合でもない線分をいう。
【００１０】
観察線分存在具の場合、前記線分に沿って視点が動いた際、少なくとも２以上の異なる広告内容が所定の規則性に従って観察されるもの（以下、「規則性表示具」という。）であってもよい。
こうすれば前記線分に沿って視点（看者の目の位置）が動くと、少なくとも２以上の異なる広告内容が所定の規則性に従って観察されるので、所定の規則性により広告内容が変化し、一層、看者の面白味を喚起させ人目を引くことで、広告効果を向上させることができる。
【００１１】
規則性表示具の場合、前記少なくとも２以上の異なる広告内容が、２の異なる広告内容であり、前記所定の規則性が、該２の異なる広告内容が交互にあらわれるものであってもよい。
こうすることで２の異なる広告内容が看者によって交互に観察されるので、互い違いに見え隠れする広告内容によって、広告内容を看者に強烈に印象付けることができ、看者の面白味を喚起させ人目を引いて広告効果を向上させる。
【００１２】
規則性表示具の場合、前記少なくとも２以上の異なる広告内容が、大きさの異なる同一の表示内容を含んだ少なくとも３以上の広告内容を含んでおり、前記所定の規則性が、該同一の表示内容が次第に大きくなるか又は次第に小さくなるものであってもよい。
こうすることで看者の視点が動くと、同一の表示内容が次第に大きくなるか又は次第に小さくなるように観察されるので、次第に大きく又は小さくなる動きによって、広告内容を看者に強烈に印象付けることができ、看者の面白味を喚起させ人目を引いて広告効果を向上させる。
【００１３】
前記表示部が、レンチキュラーレンズと、該レンチキュラーレンズを通して見たときに前記表示面を見る方向によって異なる広告内容が観察されるように該レンチキュラーレンズの背面に配設された広告内容表示部と、を有するもの（以下、「レンチキュラー表示具」という。）であってもよい。
レンチキュラーレンズは、カマボコ形の微細なレンズ群を用いて、観察者がレンチキュラーレンズを見る角度によって、複数の画像を同一面に表示する技術として既に良く知られているので詳しい説明は省略する。例えば、特開２００３−８４２３０号公報の段落番号０００７には、「従来、玩具や宣伝広告用にレンチキュラレンズを応用した動画像表示パネルが利用されている。これは複数の画像を同一面に表示するためのもので、観察者の見る方向によって第１画像が見えたり第２画像が見えたりするものである。その構造は、表面に多数のシリンドリカルレンズ（断面蒲鉾型（；半円筒型）の２次曲面レンズ）を形成した板状のレンズ（レンチキュラレンズ）の裏面に特殊な方法で原画を配置したものから構成されている。そして、レンチキュラレンズのピッチ、すなわち個々のシリンドリカルレンズの幅内に第１と第２の画像を短冊状（ストライプ状）に切断したものを交互に配置し、観察者がレンチキュラレンズを見る角度によって、第１または第２のいずれかの画像が眼に入射して、あたかも第１から第２へと画像が動いた（変化した）かのように見せるようになっている。これらの画像は記号や文字のように形状的な連続性のないものを使用してもよいし、ゴルフのスイングのように連続する動画的なものを使用してもよい。また、画像も２種類だけでなく３種類以上の（最大８種類程度）画像を合成して順次表現することも可能である。」との記載がある。
このようなレンチキュラーレンズと、該レンチキュラーレンズを通して見たときに前記表示面を見る方向によって異なる広告内容が観察されるように該レンチキュラーレンズの背面に配設された広告内容表示部と、を有して表示部が構成されれば、表示部を簡単に構成することができるので、本表示具を安価かつ高い信頼性をもって構成することができる。
【００１４】
レンチキュラー表示具の場合、前記レンチキュラーレンズが板状又は膜状の透明部材に形成されており、前記広告内容表示部が該透明部材の裏面に印刷により形成されるもの（以下、「透明部材使用表示具」という。）であってもよい。
ここに「透明部材の裏面」とは、透明部材が有する両主表面のうち、看者側に位置する面（レンチキュラーレンズの微細なカマボコ形状が形成された面）とは反対側の面をいう。
このようにレンチキュラーレンズが板状又は膜状の透明部材に形成され、前記広告内容表示部が該透明部材の裏面に印刷により形成されることで、一体の透明部材にレンチキュラーレンズと広告内容表示部とを形成することができ、表示部を一層簡単に構成することができるので、本表示具を一層安価かつ高い信頼性をもって構成することができる。また、透明部材の裏面に印刷により広告内容表示部を形成するので、レンチキュラーレンズと広告内容表示部との相対的なずれを防止することができるので、これら両者がずれることで広告内容がうまく表示されなくなる問題を防止することができる。
【００１５】
透明部材使用表示具の場合、前記表示部と前記固定部とが、一体の透明部材によって形成されるものであってもよい。
こうすることで表示部と固定部とが、一体の透明部材によって形成されるので、本支持具を簡単に構成することができ、本表示具を安価かつ高い信頼性をもって構成することができる。
【考案を実施するための最良の形態】
【００１６】
本考案の実施の形態を図面を参照して詳述するが、本考案はこれに限定されるものではない。
【００１７】
図１は、一例の本考案の広告表示具（本表示具）１１を示す正面図であり、図２は本表示具１１を示す平面図（図１中、矢印Ａ方向から見たところを示している。）である。図１及び図２を参照して、本表示具１１について説明する。
本表示具１１は、一枚の無色透明なポリエチレンテレフタレート板（厚み０．４ｍｍ）によって形成されており、主表面がほぼ円形をした表示部２１と、表示部２１に取り付けられた固定部３１（ここでは固定部３１と表示部２１とは、前述の一枚の無色透明なポリエチレンテレフタレート板により一体的に形成されている。）と、を備えている。
【００１８】
表示部２１は、主表面がほぼ円形をした平らな板状部材により形成されており、広告内容を可視的に表示する表示面２３を有する。表示面２３（看者側に位置する面）には、ここでは図示していないが、レンチキュラーレンズの微細なカマボコ形状が形成されている（なお、レンチキュラーレンズの微細なカマボコ形状は、図１中、矢印Ｂ方向（図２に示された面に対して垂直方向）に沿って細長い畝状に形成されている。）。そして、表示面２３とは反対の裏面２５（レンチキュラーレンズの背面。即ち、看者側に位置する面（レンチキュラーレンズの微細なカマボコ形状が形成された面）とは反対側の面）には、レンチキュラーレンズを通して見たときに表示面２３を見る方向によって異なる広告内容が観察されるように広告内容表示部（図示せず）が印刷によって形成されている。
なお、ここでは、図１中には広告内容を図示していない。
【００１９】
固定部３１は、表示部２１の主表面が形成するほぼ円形の円周から外方に突出するように舌状の平らな板状部材により形成されており、折り曲げ部分３３（折り曲げ線は、図１中、矢印Ｂ方向（図２に示された面に対して垂直方向）に沿っている。）において折り曲げられて平面視（図２参照）において「Ｌ」の字に似た形状を有している。
固定部３１は、折り曲げ部分３３を境に、表示部２１に連なる基端部３７と、基端部３７に連なる先端部３５と、を有している。先端部３５は、商品の陳列棚に取り付けられた、本表示具１１を固定するためのクリップ等のような支持物に取り付けられる。
固定部３１は、上述したように、表示部２１と一体の無色透明部材によって形成されており、本表示具１１の製造の最終段階において折り曲げ部分３３が折り曲げられて上記の「Ｌ」の字に似た形状とされる（折り曲げ前の固定部３１を図１及び図２において点線により示した。）。
そして、固定部３１の折り曲げ部分３３の角度（図２中、角度Ｃ。基端部３７と先端部３５とがなす角。）は、力を加えることで所定範囲（ここでは略３０〜３３０度程度）内で調節することができる。
【００２０】
図３は、表示部２１の表示面２３に広告内容がどのように可視的に表示されるかを示す概略図である（図２と同じ位置から、本表示具１１を見た状態を示している。）。図３を参照して、表示部２１の表示面２３を見る方向によって、広告内容がどのように異なるかを説明する。
ここに線分Ｌは、表示面２３に存さずかつ表示面２３に接しない線分であり、線分Ｌに沿って視点（即ち、本表示具１１の看者の目の位置）が動くとする。ここでは線分Ｌは、表示面２３に対して略平行であり、かつレンチキュラーレンズの微細なカマボコ形状の長手方向（図１中、矢印Ｂ方向）に対して略垂直（線分Ｌを平行移動させた際、該平行移動された線分Ｌとレンチキュラーレンズの微細なカマボコ形状の長手方向とは略垂直に交わる。）である。
線分Ｌ上の看者の目の位置をそれぞれｐ１〜ｐ１３にて示す。このうちｐ７は、看者が表示面２３を見る点Ｑを通過する表示面２３の垂線上に存している。また、点ｐ１〜ｐ１３のうち互いに隣り合う点から点Ｑに引いた線分の間の角（例えば、互いに隣り合う点ｐ２と点ｐ３から点Ｑに引いた線分の間の角は、図３中、角Ｄにて示される。）は全てほぼ等しい（ここでは約１０度）。
【００２１】
（第１の表示例）
第１の表示例としては、図３に示した点ｐ１〜ｐ１３のうち奇数番号のｐ１、ｐ３、ｐ５、ｐ７、ｐ９、ｐ１１及びｐ１３に視点（即ち、本表示具１１の看者の目の位置）がある場合には、図４（ａ）に示すように「当店」と「オススメ」とが二段書き（実際は、全て赤色の文字により示されている。）された広告内容が観察される。
一方、図３に示した点ｐ１〜ｐ１３のうち偶数番号のｐ２、ｐ４、ｐ６、ｐ８、ｐ１０及びｐ１２に視点（即ち、本表示具１１の看者の目の位置）がある場合には、図４（ｂ）に示すように「よ〜く」、「売れて」及び「います」が三段書き（実際は、全て青色の文字により示されている。）された広告内容が観察される。
なお、図４（ａ）及び（ｂ）のいずれも、図示及び理解を容易にするため、表示面２３に対する角度変化に伴う文字のゆがみ（例えば、点ｐ７ではゆがみはないが、ｐ５、ｐ３、ｐ１にゆくにつれて斜めから文字を見るようになるため、実際には文字がゆがむ）や、表示面２３に対する距離変化に伴う文字の大きさの変化（例えば、ｐ７では視点（本表示具１１の看者の目の位置）から表示面２３までの距離が最も小さいので最も大きく見えるが、ｐ５、ｐ３、ｐ１にゆくにつれて該距離が大きくなるため、次第に小さくなる。）は考慮せずに示している。
【００２２】
（第２の表示例）
第２の表示例としては、「新発売」との文字（全て赤文字）が、図３に示した点ｐ１〜ｐ４の範囲では次第に大きくなるように表される。即ち、視点（本表示具１１の看者の目の位置）が点ｐ１にあるときよりも点ｐ２にあるときの方が「新発売」との文字が大きくなり、点ｐ２にあるときよりも点ｐ３にあるときの方が「新発売」との文字が大きくなり、点ｐ３にあるときよりも点ｐ４にあるときの方が「新発売」との文字が大きくなる。そして、視点（本表示具１１の看者の目の位置）が点ｐ５に移ると点ｐ１にあるときと同じ大きさになり、点ｐ６では点ｐ２と、点ｐ７では点ｐ３と、点ｐ８では点ｐ４と、それぞれ同じ大きさになる。同様に、点ｐ９では点ｐ１と、点ｐ１０では点ｐ２と、点ｐ１１では点ｐ３と、点ｐ１２では点ｐ４と、点ｐ１３では点ｐ１と、それぞれ同じ大きさになる。
【００２３】
このような本表示具１１は、様々な方法により製造することができるが、例えば、裏面２５に広告内容表示部（図示せず）が形成されておらず、かつ折り曲げ部分３３が折り曲げられていないもの（図１及び図２において、点線にて示したような形状を有するものであって、裏面２５に広告内容表示部（図示せず）が印刷されていないもの。但し、レンチキュラーレンズの微細なカマボコ形状は表示面２３に既に形成されている。）を、無色透明な樹脂材料（例えば、ポリエチレンテレフタレート）を押し出し成形（射出成形等も無論使用できる。）することで形成する。その後、該成形されたものの裏面２５に広告内容表示部（図示せず）を印刷することで形成し、その後、折り曲げ部分３３を折り曲げることによって本表示具１１を製造してもよい。なお、該成形されたものの裏面２５に広告内容表示部（図示せず）を印刷する方法については、既によく知られた技術であるのでここでは説明を省略する（例えば、特開平６−２０９４００号公報等を参照されたい。）。
【００２４】
また、本表示具１１の使用方法は、一般的な広告内容を表示する目的に使用することができ、例えば、店舗内の商品陳列棚に取り付けられた、本表示具１１を固定するためのクリップ等のような支持物に、固定部３１の先端部３５を取り付け（例えば、該クリップに先端部３５を把持させる等）、本表示具１１を配設すればよい。また、表示面２３には所望の広告内容が、表示面２３を見る方向によって異なるように表示されるよう、前述のようにレンチキュラーレンズと広告内容表示部とを形成しておけばよい。
【００２５】
以上説明したように、本表示具１１は、広告内容を可視的に表示する表示面２３を有する表示部２１と、表示部２１に取り付けられ支持物（ここでは先端部３５が取り付けられるもの。図示せず。）に固定される固定部３１と、を備えてなる広告表示具であって、表示面２３を見る方向によって、該広告内容が異なるものである、広告表示具である。即ち、前述のように、図３において点ｐ１〜ｐ１３の位置から表示面２３を見たとき、これら点ｐ１〜ｐ１３の位置に応じて表示面２３を見る方向が異なり、この方向に応じて観察される広告内容が異なる。
そして、固定部３１の折り曲げ部分３３の角度（図２中、角度Ｃ。基端部３７と先端部３５とがなす角。）を力を加えて調節することで、支持物（ここでは先端部３５が取り付けられるもの。図示せず。）に対する表示面２３の角度が所定範囲で調節可能である。
【００２６】
さらに、表示面２３に存さずかつ表示面２３に接しない線分（例えば、図３中、線分Ｌ）に沿って視点が動いた際（線分Ｌ上の点ｐ１〜ｐ１３に沿って、視点（看者の目の位置）が動いた際）、少なくとも２以上の異なる広告内容が観察される線分（例えば、図３中、線分Ｌ）が存する。
そして、前記線分（例えば、図３中、線分Ｌ）に沿って視点（看者の目の位置）が動いた際、少なくとも２以上の異なる広告内容が所定の規則性に従って観察される。
【００２７】
なお、ここでは前述の第１の表示例においては、前記少なくとも２以上の異なる広告内容が、図４（ａ）及び（ｂ）に示される２の異なる広告内容であり、前記所定の規則性が、図４（ａ）及び（ｂ）に示される該２の異なる広告内容が交互にあらわれるものである（図３の中の点ｐ１〜ｐ１３のうち奇数番号のｐ１、ｐ３、ｐ５、ｐ７、ｐ９、ｐ１１及びｐ１３に視点（看者の目の位置）がある場合には、図４（ａ）に示すものがあらわれ、偶数番号のｐ２、ｐ４、ｐ６、ｐ８、ｐ１０及びｐ１２に視点（看者の目の位置）がある場合には、図４（ｂ）に示すものがあらわれる。）。
そして、ここでは前述の第２の表示例においては、前記少なくとも２以上の異なる広告内容が、大きさの異なる同一の表示内容（「新発売」との文字）を含んだ少なくとも３以上の広告内容（ここでは４段階の大きさによってあらわされた「新発売」がある。）を含んでおり、前記所定の規則性が、該同一の表示内容が次第に大きくなるか又は次第に小さくなるものである。即ち、図３中、点ｐ１、点ｐ２、点ｐ３、点ｐ４と視点（看者の目の位置）が動けば、「新発売」との文字が次第に大きくなる。同様に、図３中、点ｐ５、点ｐ６、点ｐ７、点ｐ８と視点（看者の目の位置）が動く場合と、点ｐ９、点ｐ１０、点ｐ１１、点ｐ１２と視点（看者の目の位置）が動く場合と、の両場合も「新発売」との文字が次第に大きくなる。逆に、点ｐ１２、点ｐ１１、点ｐ１０、点ｐ９と視点（看者の目の位置）が動く場合、点ｐ８、点ｐ７、点ｐ６、点ｐ５と視点（看者の目の位置）が動く場合、点ｐ４、点ｐ３、点ｐ２、点ｐ１と視点（看者の目の位置）が動く場合、のいずれの場合も「新発売」との文字が次第に小さくなる。
【００２８】
また、本表示具１１においては、表示部２１が、レンチキュラーレンズと、該レンチキュラーレンズを通して見たときに表示面２３を見る方向によって異なる広告内容が観察されるように該レンチキュラーレンズの背面に配設された広告内容表示部と、を有する。
そして、レンチキュラーレンズが板状の透明部材（ここでは無色透明なポリエチレンテレフタレート板）に形成されており、広告内容表示部が該透明部材の裏面に印刷により形成されている。
加えて、表示部２１と固定部３１とが、一体の透明部材（ここでは無色透明なポリエチレンテレフタレート板）によって形成されている。
【図面の簡単な説明】
【００２９】
【図１】一例の本考案の広告表示具（本表示具）を示す正面図である。
【図２】本表示具を示す平面図である。
【図３】表示部の表示面に広告内容がどのように表示されるかを示す概略図である。
【図４】第１の表示例の広告内容を示す図である。
【符号の説明】
【００３０】
１１        本表示具
２１        表示部
２３        表示面
２５        裏面
３１        固定部
３３        折り曲げ部分
３５        先端部
３７        基端部
【図１】
0003103972.tif 000003
【図２】
0003103972.tif 000004
【図３】
0003103972.tif 000005
【図４】
0003103972.tif 000006